(57)【要約】【課題】アンカー部材を枠に容易に取り付け、アンカー部材の強度を向上させる。【解決手段】枠５は、溝部３０と、一対の対向片３１、３２を有する。アンカー部材２０は、基板４０と、一方の対向片３１に係止される第１係止片５１と、他方の対向片３２に係止される第２係止片５２を有する。基板４０は、一方の対向片３１に係止される突片４４と、角部４５と、他方の対向片３２に係止される係止部４６を有する。第１係止片５１と第２係止片５２が溝部３０の内側に配置された状態で、角部４５は、溝部３０の外側に配置され、アンカー部材２０の回転により、第１係止片５１及び第２係止片５２とともに変位する。【選択図】  図７
2018197433.tif 000002
【特許請求の範囲】
【請求項１】
建物に設置される枠と、前記枠に取り付けられて前記枠を前記建物の躯体に連結するアンカー部材と、を備えた建具であって、
前記枠は、一対の溝壁の間に形成された溝部と、前記一対の溝壁から突出して前記アンカー部材の回転により前記アンカー部材が取り付けられる一対の対向片と、を有し、
前記アンカー部材は、前記一対の対向片に取り付けられて前記枠から突出する基板と、前記基板の一端部に設けられて前記アンカー部材の回転により前記溝部の内側で一方の前記対向片に係止される第１係止片と、前記基板の一端部と他端部の間の中間部に設けられて前記アンカー部材の回転により前記溝部の内側で他方の前記対向片に係止される第２係止片と、を有し、
前記基板は、前記一端部で前記第１係止片の一方側に設けられて前記アンカー部材の回転により前記溝部の外側で前記一方の対向片に係止される突片と、前記一端部で前記第１係止片の他方側に設けられた空所に対して前記中間部側に形成されるとともに前記第１係止片から前記中間部の縁部に向かって形成された角部と、前記中間部に設けられて前記アンカー部材の回転により前記溝部の外側で前記他方の対向片に係止される係止部と、を有し、
前記第１係止片と前記第２係止片が前記溝部の内側に配置された状態で、前記角部は、前記溝部の外側に配置され、前記アンカー部材の回転により、前記第１係止片及び前記第２係止片とともに変位する建具。
【請求項２】
請求項１に記載された建具において、
前記アンカー部材の回転前の状態で、前記第１係止片の先端部と前記角部は、前記一方の対向片の先端部に沿って配置され、前記第２係止片の先端部は、前記他方の対向片の先端部に沿って配置される建具。
【請求項３】
請求項１又は２に記載された建具において、
前記第１係止片と前記角部を含む前記アンカー部材の挿入部が前記溝部の内側に挿入された状態で、前記第２係止片は、前記溝部の内側に配置される建具。
【請求項４】
請求項１ないし３のいずれかに記載された建具において、
前記角部は、前記アンカー部材の回転により、前記溝部の外側で、前記一方の対向片側の位置から前記他方の対向片に向かって変位する建具。
【請求項５】
請求項１ないし４のいずれかに記載された建具において、
前記第１係止片と前記突片は、前記一方の対向片を挟み込んで、前記一方の対向片に係止され、
前記第２係止片と前記係止部は、前記他方の対向片を挟み込んで、前記他方の対向片に係止される建具。
【請求項６】
請求項１ないし５のいずれかに記載された建具において、
前記係止部は、前記基板の中間部で、前記第２係止片の両側に設けられた建具。
【請求項７】
請求項１ないし６のいずれかに記載された建具において、
前記基板は、前記係止部に形成され、前記係止部を前記他方の対向片に固定する固定部材が配置される固定孔を有する建具。
【発明の詳細な説明】
【技術分野】
【０００１】
本発明は、枠を建物の躯体に連結するアンカー部材を備えた建具に関する。
【背景技術】
【０００２】
建物に設置される建具においては、アンカー部材を用いて、枠を建物の躯体に連結することがある。アンカー部材は、枠に取り付けられて、溶接により、躯体側の部材に連結される。また、従来、建具のアンカー部材として、回転により、端部と抑え部を下枠に係止するアルミニウムサッシのアンカーが知られている（特許文献１参照）。
【０００３】
ところが、アンカー部材を回転させて枠に取り付けるときには、アンカー部材を回転可能な大きさに形成する必要があり、アンカー部材の大きさが制限される。例えば、アンカー部材の取り付け箇所の周囲に壁があるときには、アンカー部材の回転が壁で阻害されないように、アンカー部材を小さくする必要がある。また、アンカー部材の枠により係止される部分を大きくすることで、アンカー部材の回転が阻害される虞もある。枠におけるアンカー部材の取り付け箇所の寸法が小さくなるのに伴い、アンカー部材も小さくなる。
【０００４】
そのため、アンカー部材自体の強度、及び、アンカー部材の係止の強度を向上させるのが難しく、アンカー部材の溶接の長さを長くできないこともある。従って、回転式のアンカー部材においては、強度をより向上させる観点から、改良の余地がある。また、コスト等への影響を抑制するため、アンカー部材を容易に取り付けることも求められる。
【先行技術文献】
【特許文献】
【０００５】
【特許文献１】実公昭４７−１１３８０号公報
【発明の概要】
【発明が解決しようとする課題】
【０００６】
本発明は、前記従来の問題に鑑みなされたもので、その目的は、アンカー部材を枠に容易に取り付けるとともに、枠に取り付けられたアンカー部材の強度を向上させることである。
【課題を解決するための手段】
【０００７】
本発明は、建物に設置される枠と、前記枠に取り付けられて前記枠を前記建物の躯体に連結するアンカー部材と、を備えた建具である。前記枠は、一対の溝壁の間に形成された溝部と、前記一対の溝壁から突出して前記アンカー部材の回転により前記アンカー部材が取り付けられる一対の対向片と、を有する。前記アンカー部材は、前記一対の対向片に取り付けられて前記枠から突出する基板と、前記基板の一端部に設けられて前記アンカー部材の回転により前記溝部の内側で一方の前記対向片に係止される第１係止片と、前記基板の一端部と他端部の間の中間部に設けられて前記アンカー部材の回転により前記溝部の内側で他方の前記対向片に係止される第２係止片と、を有する。前記基板は、前記一端部で前記第１係止片の一方側に設けられて前記アンカー部材の回転により前記溝部の外側で前記一方の対向片に係止される突片と、前記一端部で前記第１係止片の他方側に設けられた空所に対して前記中間部側に形成されるとともに前記第１係止片から前記中間部の縁部に向かって形成された角部と、前記中間部に設けられて前記アンカー部材の回転により前記溝部の外側で前記他方の対向片に係止される係止部と、を有する。前記第１係止片と前記第２係止片が前記溝部の内側に配置された状態で、前記角部は、前記溝部の外側に配置され、前記アンカー部材の回転により、前記第１係止片及び前記第２係止片とともに変位する。
【発明の効果】
【０００８】
本発明によれば、アンカー部材を枠に容易に取り付けられるとともに、枠に取り付けられたアンカー部材の強度を向上させることができる。
【図面の簡単な説明】
【０００９】
【図１】本実施形態の建具の正面図である。
【図２】本実施形態の下枠が設置された建物を示す断面図である。
【図３】本実施形態のアンカー部材の平面図である。
【図４】本実施形態のアンカー部材の側面図である。
【図５】本実施形態のアンカー部材の取り付け手順を示す図である。
【図６】本実施形態のアンカー部材の取り付け手順を示す図である。
【図７】本実施形態のアンカー部材の取り付け手順を示す図である。
【図８】本実施形態のアンカー部材の取り付け手順を示す図である。
【発明を実施するための形態】
【００１０】
本発明の建具の一実施形態について、図面を参照して説明する。
以下では、固定窓を例にとり、本実施形態の建具について説明する。
【００１１】
図１は、本実施形態の建具１の正面図であり、室外側からみた建具１を模式的に示している。
図示のように、建具１は、建物１０の開口部１１に設置されて、建物１０の室内と室外の間に配置される。また、建具１は、パネル体２と、パネル体２を囲む枠体３と、枠体３を建物１０に連結する複数のアンカー部材２０を備えている。パネル体２は、方形状の固定体であり、枠体３の開口部３Ａに配置される。パネル体２は、例えば、複数枚のガラス板を有する複層ガラスであり、枠体３の内側に嵌め込まれて、枠体３に固定される。
【００１２】
枠体３は、建物１０の開口部１１に設置される方形状の開口枠（窓枠）であり、複数のアンカー部材２０により、建物１０の開口縁部１２に連結される。開口縁部１２は、建物１０の開口部１１を囲む縁部であり、枠体３は、建物１０の開口縁部１２に沿って配置される。また、枠体３は、枠組みされた４つの枠４〜６（上枠４、下枠５、一対の縦枠６）を有し、枠４〜６により、方形状の開口部３Ａを形成する。枠４〜６は、枠体３を構成する長尺な枠材であり、それぞれパネル体２の縁部（上縁部、下縁部、一対の縦縁部）に沿って配置される。パネル体２の縁部が枠４〜６により保持されて、パネル体２が枠体３の開口部３Ａに保持される。
【００１３】
アンカー部材２０が枠体３の枠４〜６に取り付けられて、枠４〜６が建物１０（開口部１１）に設置される。アンカー部材２０は、枠４〜６を建物１０の躯体１３に連結する連結部品であり、各枠４〜６において枠体３の外部側（開口部３Ａの反対側）に設けられる。複数のアンカー部材２０は、各枠４〜６の長手方向に間隔を開けて配置されて、各枠４〜６に取り付けられる。アンカー部材２０は、枠４〜６に取り付けられた状態で、躯体１３に設けられた被連結部に連結されて、躯体１３の被連結部に保持される。
【００１４】
枠体３の枠４〜６は、それぞれ複数のアンカー部材２０により、建物１０の開口部１１を囲む躯体１３（被連結部）に連結されて、躯体１３に固定される。以下、下枠５のアンカー部材２０を例にとり、アンカー部材２０の取付構造について説明する。上枠４と縦枠６のアンカー部材２０は、下枠５のアンカー部材２０と同様に形成され、上枠４と縦枠６は、下枠５と同様のアンカー部材２０の取付部を有する。
【００１５】
図２は、本実施形態の下枠５が設置された建物１０を示す断面図であり、図１のＸ１−Ｘ１線で切断した下枠５、アンカー部材２０、及び、建物１０の開口縁部１２を示している。
図示のように、建具１は、建物１０の躯体１３の上側に配置される枠体３の枠（ここでは、下枠５）と、下枠５に対して躯体１３側に設けられるアンカー部材２０を備えている。ここでは、下枠５は、金属製の枠材（金属枠）であり、金属（例えば、アルミニウム合金）の押出成形により成形される。従って、下枠５は、押出形材であり、所定の断面形状に形成される。下枠５の各部は、下枠５の長手方向に沿って形成されて、下枠５の長手方向に延びる。
【００１６】
下枠５は、枠体３の開口部３Ａ側に形成された凹状の内周側部５Ａと、アンカー部材２０が取り付けられる溝状の取付部５Ｂと、壁部５Ｃと、突出部５Ｄを有する。下枠５の内周側部５Ａは、枠体３の内周側部の一部（下部）であり、パネル体２を保持する一対の保持部５Ｅを有する。パネル体２の縁部が一対の保持部５Ｅの間に配置されて、パネル体２が一対の保持部５Ｅの間に保持される。取付部５Ｂ、壁部５Ｃ、及び、突出部５Ｄは、下枠５の外周側部５Ｆであり、内周側部５Ａに対して建物１０の躯体１３側（開口縁部１２側）に設けられる。下枠５の外周側部５Ｆは、枠体３の外周側部の一部（下部）であり、枠体３の開口部３Ａの反対側に位置する。
【００１７】
下枠５の取付部５Ｂは、内周側部５Ａと躯体１３の間に位置し、下枠５の壁部５Ｃは、取付部５Ｂから躯体１３側に突出する。下枠５の突出部５Ｄは、中空状に形成された中空部であり、取付部５Ｂから下枠５の見込み方向の一方側に突出する。下枠５の見込み方向は、下枠５の奥行方向（ここでは、室内外方向）である。下枠５の外周側部５Ｆにおいて、突出部５Ｄは、下枠５の見込み方向の一方側（室外側）に形成され、取付部５Ｂは、下枠５の見込み方向の他方向（室内側）に形成される。また、壁部５Ｃは、下枠５の見込み方向の中間部に形成される。下枠５の壁部５Ｃは、ビス１４により、建物１０の開口縁部１２に固定される。
【００１８】
アンカー部材２０は、下枠５の取付部５Ｂに取り付けられ、壁部５Ｃに対して下枠５の見込み方向の他方側に配置される。また、アンカー部材２０は、下枠５から下枠５の見込み方向の他方側に突出し、連結部材１５により、躯体１３の被連結部１６に連結される。連結部材１５は、溶接により、躯体１３の被連結部１６に固定されて、躯体１３から下枠５側に突出する。連結部材１５は、下枠５に対して下枠５の見込み方向の他方側に位置する。アンカー部材２０は、下枠５から連結部材１５まで配置されて、溶接により、連結部材１５に固定される。
【００１９】
下枠５は、取付部５Ｂに、溝部３０と、互いに対向する一対の対向片３１、３２（第１対向片３１、第２対向片３２）と、開口３３を有する。溝部３０は、一対の溝壁３４、３５（第１溝壁３４、第２溝壁３５）と、一対の溝壁３４、３５の間に位置する溝底３６を有し、溝壁３４、３５と溝底３６により、凹状に形成される。一対の溝壁３４、３５は、並列して形成され、下枠５の見込み方向において互いに対向する。一対の溝壁３４、３５が溝底３６から突出し、溝部３０が一対の溝壁３４、３５の間に形成される。
【００２０】
第１溝壁３４は、下枠５の見込み方向の一方側に位置する一方側溝壁（室外側溝壁）であり、屈曲形状に形成されている。第２溝壁３５は、下枠５の見込み方向の他方側に位置する他方側溝壁（室内側溝壁）であり、平面形状に形成されている。一対の対向片３１、３２は、アンカー部材２０の取り付け用の板状の突部（取付片）であり、一対の溝壁３４、３５から突出する。また、一対の対向片３１、３２は、下枠５の見込み方向に突出し、下枠５の見込み方向において互いに対向する。
【００２１】
第１対向片３１は、下枠５の見込み方向の一方側に位置する一方側対向片（室外側対向片）であり、第１溝壁３４と壁部５Ｃの間に形成されて、第１溝壁３４及び壁部５Ｃから下枠５の見込み方向の他方側に突出する。また、第１対向片３１は、第１溝壁３４の先端部に形成され、壁部５Ｃは、第１対向片３１から躯体１３側に突出する。第２対向片３２は、下枠５の見込み方向の他方側に位置する他方側対向片（室内側対向片）であり、第２溝壁３５の先端部に形成されて、第２溝壁３５から下枠５の見込み方向の一方側に突出する。
【００２２】
一対の対向片３１、３２は、互いの間に開口３３を形成する。開口３３は、一対の対向片３１、３２の先端部の間に位置する溝部３０の開口部（溝開口）であり、建物１０の躯体１３側に向かって開放されている。溝部３０、溝壁３４、３５、溝底３６、対向片３１、３２、及び、開口３３は、それぞれ下枠５の長手方向に沿って連続して形成されている。
【００２３】
図３は、本実施形態のアンカー部材２０の平面図であり、図２の矢印Ｘ２方向からみたアンカー部材２０を示している。図４は、本実施形態のアンカー部材２０の側面図であり、図３の矢印Ｘ３方向からみたアンカー部材２０を示している。
図２〜図４に示すように、アンカー部材２０は、一対の対向片３１、３２に取り付けられる基板４０と、躯体１３に連結される連結部５０と、基板４０の下枠５側に形成された２つの係止片５１、５２（第１係止片５１、第２係止片５２）を有する。
【００２４】
連結部５０と係止片５１、５２は、基板４０と一体に形成されている。基板４０は、アンカー部材２０の板状の基部であり、下枠５と躯体１３の間の空間で、下枠５の見込み方向に沿って配置される。基板４０は、溝部３０の外側に配置されて、下枠５から突出する。連結部５０は、基板４０の一端部４１から他端部４２まで形成されて、基板４０から躯体１３側に突出する。一端部４１は、下枠５側に位置する基板４０の枠側端部であり、他端部４２は、突出側（一端部４１の反対側）に位置する基板４０の突出端部である。基板４０の他端部４２側の部分が下枠５から突出する。
【００２５】
ここでは、一端部４１と他端部４２は、それぞれ基板４０の長さ方向Ｌにおける一方側の端部と他方側の端部である。基板４０の長さ方向Ｌは、基板４０の幅方向Ｗと直交する。アンカー部材２０を下枠５に取り付けた状態で、基板４０の長さ方向Ｌは、下枠５の見込み方向に対応する方向であり、基板４０の幅方向Ｗは、下枠５の長手方向に対応する方向である。基板４０の一端部４１は、下枠５の見込み方向の一方側に位置する一方側端部（室外側端部）であり、基板４０の他端部４２は、下枠５の見込み方向の他方側に位置する他方側端部（室内側端部）である。
【００２６】
連結部５０は、基板４０の長さ方向Ｌに延びる板状の連結片であり、基板４０の縁部に形成されている。基板４０及び連結部５０が下枠５から下枠５の見込み方向の他方側に突出して、連結部５０が連結部材１５に接触する。連結部５０は、連結部材１５に溶接されて、溶接により連結部材１５に固定される。従って、連結部５０は、アンカー部材２０の溶接部（溶接片）である。連結部５０及びアンカー部材２０は、連結部材１５を介して、躯体１３（被連結部１６）に固定されて、躯体１３に連結される。下枠５は、アンカー部材２０により、被連結部１６及び躯体１３に連結される。
【００２７】
係止片５１、５２は、基板４０の長さ方向Ｌに突出する爪状の突部（係止爪）である。第１係止片５１は、基板４０の一端部４１に設けられた一端部側係止片であり、溝部３０の内側で、一対の対向片３１、３２のうちの一方の対向片（第１対向片３１）に係止される。第２係止片５２は、基板４０の一端部４１と他端部４２の間の中間部４３に設けられた中間部側係止片であり、溝部３０の内側で、一対の対向片３１、３２のうちの他方の対向片（第２対向片３２）に係止される。中間部４３は、基板４０の長さ方向Ｌにおける一端部４１と他端部４２の間の部分である。
【００２８】
係止片５１、５２は、例えば、基板４０の切り起こし加工により、基板４０に形成される。第２係止片５２の形成に伴い、貫通孔２１が基板４０に形成される。第１係止片５１は、下枠５の見込み方向の一方側に位置する一方側係止片（室外側係止片）であり、下枠５の見込み方向の一方側に突出する。第２係止片５２は、下枠５の見込み方向の他方側に位置する他方側係止片（室内側係止片）であり、下枠５の見込み方向の他方側に突出する。係止片５１、５２は、それぞれ対向片３１、３２の溝部３０内の部分に接触して、対向片３１、３２に保持される。
【００２９】
アンカー部材２０の基板４０は、一端部４１に設けられた突片４４と、基板４０の切欠き部である角部４５と、中間部４３に設けられた係止部４６と、係止部４６に形成された固定孔４７を有する。基板４０の突片４４は、基板４０の一端部４１で第１係止片５１の一方側に設けられて、溝部３０の外側で第１対向片３１に係止される。突片４４は、下枠５の見込み方向の一方側に突出し、第１対向片３１の溝部３０外の部分に接触する。第１係止片５１と突片４４は、第１対向片３１を挟み込んで、第１対向片３１に係止される。第１対向片３１が第１係止片５１と突片４４の間に配置されて、第１係止片５１と突片４４が第１対向片３１に保持される。
【００３０】
基板４０の一端部４１では、基板４０の幅方向Ｗにおいて、第１係止片５１が中央部に設けられ、突片４４が第１係止片５１の一方側（連結部５０側）に設けられる。また、空所４８が第１係止片５１の他方側（連結部５０及び突片４４の反対側）に設けられ、第１係止片５１が突片４４と空所４８の間に設けられる。
【００３１】
基板４０の角部４５は、基板４０の長さ方向Ｌ及び幅方向Ｗに対して傾斜する傾斜部（傾斜縁部）であり、空所４８に対して中間部４３側に形成される。また、角部４５は、第１係止片５１から中間部４３の縁部４９に向かって形成され、第１係止片５１と縁部４９の間に設けられる。縁部４９は、空所４８側（突片４４の反対側）に位置する中間部４３の側方の縁部（側縁部）である。基板４０の一端部４１側において、角部４５は、中間部４３の縁部４９に向かって、基板４０の幅方向Ｗに対して他端部４２側に傾斜する。
【００３２】
基板４０の係止部４６は、基板４０の中間部４３で第２係止片５２の両側に設けられて、溝部３０の外側で、第２対向片３２に係止される。基板４０の幅方向Ｗにおいて、係止部４６は、第２係止片５２及び貫通孔２１の両側に位置する部分であり、第２係止片５２は、２つの係止部４６の間に設けられる。係止部４６は、第２対向片３２の溝部３０外の部分に接触する。第２係止片５２と係止部４６は、第２対向片３２を挟み込んで、第２対向片３２に係止される。第２対向片３２が第２係止片５２と係止部４６の間に配置されて、第２係止片５２と係止部４６が第２対向片３２に保持される。
【００３３】
基板４０の固定孔４７には、固定部材（図示せず）が配置される。固定部材は、例えば、ビスであり、固定孔４７と第２対向片３２の固定孔（図示せず）を貫通する。固定部材により、基板４０の係止部４６が第２対向片３２に固定される。固定孔４７は、２つの係止部４６のうちの一方の係止部４６（角部４５側の係止部４６）に形成される。一方の係止部４６が第２対向片３２に固定される。
【００３４】
第１係止片５１の先端部５３と第２係止片５２の先端部５４は、角部４５と同様に、基板４０の長さ方向Ｌ及び幅方向Ｗに対して傾斜する傾斜端部であり、アンカー部材２０の幅方向Ｗに対して互いに同じ方向に傾斜する。先端部５３は、第１係止片５１の先端側の縁部（先端縁部）であり、先端部５４は、第２係止片５２の先端側の縁部（先端縁部）である。角部４５は、第１係止片５１の先端部５３に沿う方向に形成され、先端部５３、５４と同様に、アンカー部材２０の幅方向Ｗに対して傾斜する。第１係止片５１の先端部５３、第２係止片５２の先端部５４、及び、角部４５は、それぞれ所定方向に真っ直ぐに延びるように形成される。また、角部４５は、段差部２２を挟んで第１係止片５１の先端部５３と連続し、第１係止片５１から中間部４３の縁部４９まで形成される。段差部２２は、第１係止片５１の一部であり、先端部５３と角部４５の間に形成されて、基板４０から突出する。
【００３５】
係止片５１、５２、突片４４、及び、係止部４６により、基板４０及びアンカー部材２０は、一対の対向片３１、３２に係止されて、一対の対向片３１、３２及び下枠５に取り付けられる。その状態で、第１係止片５１の先端部５３、第２係止片５２の先端部５４、及び、角部４５は、それぞれの一端部４１側の端部から他端部４２側の端部に向かって、下枠５及び溝部３０の長手方向に対して、下枠５の見込み方向の他方側（他端部４２側）に傾斜する。また、第１係止片５１の先端部５３と角部４５は、下枠５の見込み方向の一方側に向けて配置され、第２係止片５２の先端部５４は、下枠５の見込み方向の他方側（先端部５３及び角部４５の反対側）に向けて配置される。下枠５を建物１０に設置する前に、アンカー部材２０が下枠５に取り付けられる。その後、アンカー部材２０により、下枠５が建物１０の躯体１３に連結される。
【００３６】
図５〜図８は、本実施形態のアンカー部材２０の取り付け手順を示す図である。図５は、下枠５の長手方向からみた下枠５の断面とアンカー部材２０を示している。図６は、図５の矢印Ｘ４方向からみた下枠５とアンカー部材２０の平面図である。図７、図８は、下枠５とアンカー部材２０を図６と同様に示す平面図である。
【００３７】
図示のように、まず、アンカー部材２０の挿入部２３を下枠５の溝部３０の内側に挿入して（図５、図６の矢印Ｓ１参照）、アンカー部材２０の第１係止片５１と角部４５を溝部３０の内側に配置する。挿入部２３は、アンカー部材２０の角部４５側の部分であり、第１係止片５１と角部４５を含む。第１係止片５１の全部又は一部が挿入部２３の一部であり、角部４５の全部又は一部が挿入部２３の一部である。
【００３８】
アンカー部材２０の挿入部２３は、一対の対向片３１、３２の間の開口３３を通って、第１対向片３１側（第１溝壁３４）に向かって溝部３０に挿入される。挿入部２３は、少なくとも第１係止片５１と角部４５を含むアンカー部材２０の一部であり、第１対向片３１に対して溝部３０の内側に配置される。溝部３０の内側で、第１係止片５１の少なくとも一部と角部４５の少なくとも一部が第１対向片３１と溝底３６の間に配置され、第１係止片５１の先端部５３と角部４５が第１溝壁３４に沿って配置される。第１係止片５１の先端部５３と角部４５は、第１溝壁３４と対向し、又は、第１溝壁３４に接触する。
【００３９】
挿入部２３が溝部３０の内側に挿入（配置）された状態で、第２係止片５２は、溝部３０の内側に配置されるとともに、角部４５に対して第２対向片３２（第２溝壁３５）側に配置される。続いて、アンカー部材２０を第１対向片３１側から第２対向片３２側に移動させ（図５、図６の矢印Ｓ２参照）、第２係止片５２を第２対向片３２に接近させる。これにより、基板４０及び角部４５を溝部３０の外側に移動させ、アンカー部材２０及び基板４０を溝部３０の開口３３に沿って配置する（図７参照）。
【００４０】
溝部３０の内側では、第１係止片５１の一部が第１対向片３１に接触し、第２係止片５２の一部が第２対向片３２に接触する。溝部３０の外側では、突片４４と角部４５が一対の対向片３１、３２の間の領域に配置され、基板４０が下枠５の見込み方向に沿って配置される。基板４０は、第１対向片３１から下枠５の見込み方向の外側まで配置され、第２対向片３２に接触する。また、アンカー部材２０と基板４０は、下枠５から見込み方向の他方側に突出する。基板４０の長さ方向Ｌと幅方向Ｗは、下枠５の長手方向に対して傾斜する。次に、アンカー部材２０の回転（図７の矢印Ｓ３参照）により、アンカー部材２０が一対の対向片３１、３２に取り付けられる。
【００４１】
アンカー部材２０の回転前の状態（アンカー部材２０の回転による対向片３１、３２への取り付け前の状態）で、第１係止片５１の先端部５３と角部４５は、第１対向片３１の先端部３７に近接して配置され、第２係止片５２の先端部５４は、第２対向片３２の先端部３８に近接して配置される。また、第１係止片５１の先端部５３は、溝部３０の内側で第１対向片３１の先端部３７に沿って配置され、角部４５は、溝部３０の外側で第１対向片３１の先端部３７に沿って配置される。第１係止片５１の先端部５３と角部４５は、第１対向片３１の先端部３７に平行に、又は、先端部３７に対して傾斜する方向に配置される。第２係止片５２の先端部５４は、溝部３０の内側で第２対向片３２の先端部３８に沿って配置される。第２係止片５２の先端部５４は、第２対向片３２の先端部３８に平行に、又は、先端部３８に対して傾斜する方向に配置される。
【００４２】
先端部３７、３８は、それぞれ対向片３１、３２の突出方向の先端部であり、開口３３を挟んだ状態で互いに対向する。溝部３０の内側で、第１係止片５１の先端部５３は、第１対向片３１の先端部３７と対向し、第２係止片５２の先端部５４は、第２対向片３２の先端部３８と対向する。溝部３０の外側で、基板４０の角部４５は、第１対向片３１の先端部３７と対向し、空所４８は、第１対向片３１の箇所に位置する。
【００４３】
基板４０の一端部４１から他端部４２に向かってみたときに、第１係止片５１の先端部５３、角部４５、及び、第２係止片５２の先端部５４は、基板４０の幅方向Ｗに対して、アンカー部材２０の回転方向Ｓ３の前方側に傾斜する。突片４４は、第１係止片５１に対して、アンカー部材２０の回転方向Ｓ３の後方側に設けられ、空所４８及び角部４５は、第１係止片５１に対して、アンカー部材２０の回転方向Ｓ３の前方側に設けられる。
【００４４】
アンカー部材２０を所定の回転方向Ｓ３に回転させて、アンカー部材２０及び基板４０を回転方向Ｓ３に変位させる。第１係止片５１と第２係止片５２が溝部３０の内側に配置された状態で、基板４０の角部４５と突片４４は、溝部３０の外側に配置されて、アンカー部材２０の回転により、第１係止片５１及び第２係止片５２とともに変位する。
【００４５】
角部４５は、アンカー部材２０の回転により、溝部３０の外側で、第１対向片３１側の位置から第２対向片３２に向かって変位する（図８参照）。これにより、角部４５は、第１対向片３１に対向する位置から第２対向片３２側に変位し、第１対向片３１から回転方向Ｓ３に離間する。角部４５は、下枠５の各部（例えば、第１対向片３１、壁部５Ｃ）に引っ掛かることなく、一対の対向片３１、３２の間の領域で変位して、一対の対向片３１、３２の間の領域に配置される。
【００４６】
アンカー部材２０及び基板４０は、開口３３に沿う状態で回転して変位する。開口３３に沿うアンカー部材２０の回転により、アンカー部材２０及び基板４０が一対の対向片３１、３２に取り付けられる。具体的には、アンカー部材２０の回転により、第１係止片５１と基板４０の突片４４は、第１対向片３１に向かって変位して、第１対向片３１を挟み込む位置に配置される。また、第２係止片５２が第２対向片３２に向かって変位して、第２係止片５２と基板４０の係止部４６が第２対向片３２を挟み込む位置に配置される。
【００４７】
アンカー部材２０の回転により、溝部３０の内側で、第１係止片５１を第１対向片３１に係止するとともに、溝部３０の外側で、突片４４を第１対向片３１に係止する。同時に、アンカー部材２０の回転により、溝部３０の内側で、第２係止片５２を第２対向片３２に係止するとともに、溝部３０の外側で、係止部４６を第２対向片３２に係止する。基板４０の一端部４１は、第１係止片５１と突片４４により第１対向片３１に係止され、基板４０の中間部４３は、第２係止片５２と係止部４６により第２対向片３２に係止される。これにより、アンカー部材２０の一対の対向片３１、３２への取り付けが完了する。その状態で、基板４０の長さ方向Ｌは、下枠５の見込み方向に沿って配置され、基板４０の幅方向Ｗは、下枠５の長手方向に沿って配置される。
【００４８】
以上説明したように、本実施形態の建具１では、アンカー部材２０の回転が枠４〜６により阻害されるのを抑制して、アンカー部材２０を枠４〜６に容易に取り付けることができる。また、アンカー部材２０の各部を従来よりも大きくしたときでも、アンカー部材２０を枠４〜６に取り付けることができる。そのため、アンカー部材２０を大きくできるとともに、アンカー部材２０を一対の対向片３１、３２に確実に係止することができる。従って、枠４〜６に取り付けられたアンカー部材２０の強度を向上させることができる。
【００４９】
アンカー部材２０を一対の対向片３１、３２に取り付けるときに、第１係止片５１の先端部５３と角部４５は、第１対向片３１の先端部３７に沿って配置され、第２係止片５２の先端部５４は、第２対向片３２の先端部３８に沿って配置される。そのため、係止片５１、５２の先端部５３、５４と角部４５が周囲の部分（例えば、溝壁３４、３５、対向片３１、３２）に引っ掛かるのを抑制して、アンカー部材２０を容易に回転させることができる。また、アンカー部材２０の挿入部２３と第２係止片５２を溝部３０内に容易に配置することもできる。
【００５０】
アンカー部材２０の挿入部２３を溝部３０の内側に挿入することで、第２係止片５２を溝部３０の内側に配置でき、アンカー部材２０の取り付け作業を容易に行うことができる。角部４５が第１対向片３１側の位置から第２対向片３２に向かって変位することで、角部４５の引っ掛かりをより確実に抑制して、アンカー部材２０を容易に回転させることができる。
【００５１】
第１係止片５１と突片４４により第１対向片３１を挟み込み、第２係止片５２と係止部４６により第２対向片３２を挟み込む。これにより、アンカー部材２０の係止の強度を向上させることができる。係止部４６を第２係止片５２の両側に設けることで、第２係止片５２と係止部４６を第２対向片３２にしっかりと係止することができる。固定孔４７内に配置される固定部材により、アンカー部材２０を第２対向片３２に確実に保持することができる。連結部５０を基板４０の一端部４１から他端部４２まで形成するときには、アンカー部材２０の強度をより向上できるとともに、大きな連結部５０により、アンカー部材２０を躯体１３に強固に連結することができる。
【００５２】
なお、アンカー部材２０を固定部材により第２対向片３２に固定しなくてもよい。この場合には、基板４０の係止部４６に固定孔４７を形成しなくてもよい。また、係止片５１、５２の先端部５３、５４と角部４５は、真っ直ぐな形状に形成してもよく、他の形状（例えば、湾曲形状、円弧形状）に形成してもよい。建具１の枠４〜６をアンカー部材２０のみにより建物１０の躯体１３に連結してもよい。これに対し、アンカー部材２０と躯体１３の間に１つ以上の部材を設け、アンカー部材２０を含む複数の部材により枠４〜６を躯体１３に連結してもよい。
【００５３】
以上、建具１が固定窓である例について説明したが、建具１は、他の窓（例えば、すべり出し窓、上げ下げ窓、引き違い窓、開閉窓）であってもよい。また、建具１は、窓以外の建具（例えば、ドア）であってもよい。本発明は、アンカー部材２０を備えた種々の建具に適用することができる。
【符号の説明】
【００５４】
１・・・建具、２・・・パネル体、３・・・枠体、４・・・上枠、５・・・下枠、６・・・縦枠、１０・・・建物、１１・・・開口部、１２・・・開口縁部、１３・・・躯体、１４・・・ビス、１５・・・連結部材、１６・・・被連結部、２０・・・アンカー部材、２１・・・貫通孔、２２・・・段差部、２３・・・挿入部、３０・・・溝部、３１・・・第１対向片、３２・・・第２対向片、３３・・・開口、３４・・・第１溝壁、３５・・・第２溝壁、３６・・・溝底、３７・・・先端部、３８・・・先端部、４０・・・基板、４１・・・一端部、４２・・・他端部、４３・・・中間部、４４・・・突片、４５・・・角部、４６・・・係止部、４７・・・固定孔、４８・・・空所、４９・・・縁部、５０・・・連結部、５１・・・第１係止片、５２・・・第２係止片、５３・・・先端部、５４・・・先端部。
【図１】
2018197433.tif 000003
【図２】
2018197433.tif 000004
【図３】
2018197433.tif 000005
【図４】
2018197433.tif 000006
【図５】
2018197433.tif 000007
【図６】
2018197433.tif 000008
【図７】
2018197433.tif 000009
【図８】
2018197433.tif 000010